(57)【要約】【課題】内部ユニット、外部ユニット、基板、モータ、周辺機等が異常になった場合に高価なリレーを用いる事無く、安価に製造できるコネクタ分離機能を用いて確実に内部ユニット及び外部ユニット及び基板及びモータ及び周辺機等の電源供給を遮断すること。【解決手段】画像形成装置のコネクタが自動的に分離及び接続が可能な機構を有する場合において、内部ユニット又は外部ユニット又は基板又はモータ又は周辺機等に異常があった場合にリレーを用いる事無く、内部ユニット又は外部ユニット又は基板又はモータ又は周辺機等のコネクタを自動的に分離して電源又は信号を遮断する。【選択図】図１
2009015149.tif 000002
【特許請求の範囲】
【請求項１】
画像形成装置のコネクタが自動的に分離及び接続が可能な機構を有する場合において、内部ユニット又は外部ユニット又は基板又はモータ又は周辺機等に異常があった場合にリレーを用いる事無く、内部ユニット又は外部ユニット又は基板又はモータ又は周辺機等のコネクタを自動的に分離して電源又は信号を遮断することを特徴とした画像形成装置。
【請求項２】
画像形成装置の内部ユニット、外部ユニット、周辺機等を手動若しくは自動で画像形成装置と分離した状態から画像形成装置にセットする場合、又は内部ユニット、外部ユニット、基板、モータ、周辺機等のコネクタが自動分離されている状態から自動的にコネクタ同士を接続した際にコネクタ同士の接続不良が起こった場合において、コネクタを一度分離して再接続を行なうことでコネクタ同士の接続不良を解消することを特徴とした画像形成装置。
【請求項３】
分離後に分離したこと若しくは分離後に再接続したことを操作画面及びブザー及びランプ等に通知することを特徴とした請求項１記載の画像形成装置。
【請求項４】
異常があり分離したコネクタの箇所の情報を不揮発性メモリーへ記憶することを特徴とした請求項１記載の画像形成装置。
【請求項５】
画像形成装置の電源投入事に制御部が不揮発性メモリーに記憶されている情報から前回の起動時に異常があったかどうか情報を読み出して異常があった場合にはコネクタの再接続を行なわず、コネクタ復帰接続の指示があるまで待機することを特徴とした請求項１または４記載の画像形成装置。
【請求項６】
コネクタの分離後に操作画面上、又はスイッチ等から操作を行い、分離したコネクタを再接続することが可能なことを特徴とした請求項１または５記載の画像形成装置。
【請求項７】
画像形成装置の内部ユニット、外部ユニット、周辺機等を手動若しくは自動で本体と分離した状態から本体にセットする場合、又は内部ユニット、外部ユニット、基板、モータ、周辺機等のコネクタが自動分離されている状態から自動的にコネクタ同士を接続した際にセットした内部ユニット、外部ユニット、周辺機等、又はコネクタを自動接続した基板、モータ等を一度テスト動作させ、本体とユニットが接続されたか接続されていないかをセンサーを介して制御部が読み取り、判断することを特徴とした請求項２または６記載の画像形成装置。
【請求項８】
接続不良を修正する為に一度コネクタを分離し、再度コネクタの接続を行なっても接続不良が修正できなかった場合は、予め設定しておいた回数の範囲で分離と再接続を繰り返し、それでも接続ができなければ、接続ができなかったことを操作画面、ランプ、ブザーにて通知することを特徴とした請求項２、６および７のいずれか１項に記載の画像形成装置。
【請求項９】
接続不良箇所と接続不良であることを通知した回数を不揮発性メモリーへ記憶することを特徴とした請求項７または８記載の画像形成装置。
【請求項１０】
接続不良箇所と接続不良の通知した回数の情報をサービスマン等が操作画面上からを読み出し可能なことを特徴とした請求項８または９記載の画像形成装置。
【発明の詳細な説明】
【技術分野】
【０００１】
本発明は、画像形成装置のユニット等に異常があった場合の電源供給を遮断する技術に関する。
【背景技術】
【０００２】
ユニット等に異常があった場合には、従来技術では、特許文献１のような遮断方法にて回路を遮断しており、リレーを用いるのが一般的であった。
【０００３】
リレーは高価であり、多数のユニットの電源・信号線を遮断に用いる場合、コスト高である為、使用できる個数も限定されてしまう。リレーは、ＤＣ大電流用のリレーでは価格は８０００円以上するものもある。
【０００４】
Imagio７５２ecのように、キャパシタを補助電源とし、ＤＣの大電流を用いたマシンでは本発明を実施してもリレーより安く作ることが可能である。
【特許文献１】特許第３１５２４５７号公報
【発明の開示】
【発明が解決しようとする課題】
【０００５】
本発明は、内部ユニット、外部ユニット、基板、モータ、周辺機等が異常になった場合に高価なリレーを用いる事無く、安価に製造できるコネクタ分離機能を用いて確実に内部ユニット及び外部ユニット及び基板及びモータ及び周辺機等の電源供給を遮断することと、コストを上げずに安全の為に遮断できる箇所を増やすことと、ユニット等を本体にセットした場合において、セットミスがありコネクタが接続されなかった場合であってもユーザの手を煩わす事なく、コネクタを接続不良から接続復帰する事を可能にすることを目的とする。
【課題を解決するための手段】
【０００６】
請求項１記載の発明は、画像形成装置のコネクタが自動的に分離及び接続が可能な機構を有する場合において、内部ユニット又は外部ユニット又は基板又はモータ又は周辺機等に異常があった場合にリレーを用いる事無く、内部ユニット又は外部ユニット又は基板又はモータ又は周辺機等のコネクタを自動的に分離して電源又は信号を遮断することを特徴とした画像形成装置である。
【０００７】
請求項２記載の発明は、画像形成装置の内部ユニット、外部ユニット、周辺機等を手動若しくは自動で画像形成装置と分離した状態から画像形成装置にセットする場合、又は内部ユニット、外部ユニット、基板、モータ、周辺機等のコネクタが自動分離されている状態から自動的にコネクタ同士を接続した際にコネクタ同士の接続不良が起こった場合において、コネクタを一度分離して再接続を行なうことでコネクタ同士の接続不良を解消することを特徴とした画像形成装置である。
【０００８】
請求項３記載の発明は、請求項１記載の画像形成装置において、分離後に分離したこと若しくは分離後に再接続したことを操作画面及びブザー及びランプ等に通知することを特徴とした。
【０００９】
請求項４記載の発明は、請求項１記載の画像形成装置において、異常があり分離したコネクタの箇所の情報を不揮発性メモリーへ記憶することを特徴とした。
【００１０】
請求項５記載の発明は、請求項１または４記載の画像形成装置において、画像形成装置の電源投入事に制御部が不揮発性メモリーに記憶されている情報から前回の起動時に異常があったかどうか情報を読み出して異常があった場合にはコネクタの再接続を行なわず、コネクタ復帰接続の指示があるまで待機することを特徴とした。
【００１１】
請求項６記載の発明は、請求項１または５記載の画像形成装置において、コネクタの分離後に操作画面上、又はスイッチ等から操作を行い、分離したコネクタを再接続することが可能なことを特徴とした。
【００１２】
請求項７記載の発明は、請求項２または６記載の画像形成装置において、画像形成装置の内部ユニット、外部ユニット、周辺機等を手動若しくは自動で本体と分離した状態から本体にセットする場合、又は内部ユニット、外部ユニット、基板、モータ、周辺機等のコネクタが自動分離されている状態から自動的にコネクタ同士を接続した際にセットした内部ユニット、外部ユニット、周辺機等、又はコネクタを自動接続した基板、モータ等を一度テスト動作させ、本体とユニットが接続されたか接続されていないかをセンサーを介して制御部が読み取り、判断することを特徴とした。
【００１３】
請求項８記載の発明は、請求項２、６および７のいずれか１項に記載の画像形成装置において、接続不良を修正する為に一度コネクタを分離し、再度コネクタの接続を行なっても接続不良が修正できなかった場合は、予め設定しておいた回数の範囲で分離と再接続を繰り返し、それでも接続ができなければ、接続ができなかったことを操作画面、ランプ、ブザーにて通知することを特徴とした。
【００１４】
請求項９記載の発明は、請求項７または８記載の画像形成装置において、接続不良箇所と接続不良であることを通知した回数を不揮発性メモリーへ記憶することを特徴とした。
【００１５】
請求項１０記載の発明は、請求項８または９記載の画像形成装置において、接続不良箇所と接続不良の通知した回数の情報をサービスマン等が操作画面上からを読み出し可能なことを特徴とした。
【発明の効果】
【００１６】
本発明によれば、内部ユニット、外部ユニット、基板、モータ、周辺機等に異常があった場合、瞬時に電源を遮断することのできるコネクタ分離装置を搭載している事を画像形成装置に搭載することにより、リレーよりも安価な遮断装置となる。
【発明を実施するための最良の形態】
【００１７】
図１は、本発明のコネクタ分離の概要を示す図である。
ユニット(１０１)、周辺機(１０４)、基板・駆動部(１０７)等にセンサ(１０２,１０５,１０８)が取り付けられており、センサは、制御部(１１０)と接続しており、ユニット(１０１)、周辺機(１０４)、基板・駆動部(１０７)等に異常があった場合は、制御部が異常箇所を特定し、異常個所へ接続しているコネクタ自動分離・接続機構(１０３,１０６,１０９)を分離させることでＡＣ若しくはＤＣの電源回路を遮断する。
【００１８】
又、制御部(１１０)は不揮発性メモリー(１２５)へ異常により遮断したことを操作画面(１２１)、ランプ(１２３)、ブザー(１２４)へ通知し、遮断した事と通知箇所を記憶する。異常になったという情報を不揮発性メモリー(１２５)に記憶することで、一度電源を切り再度電源を投入した場合でも異常個所のコネクタ分離装置は分離した状態を保ち、操作画面(１２１)若しくは、スイッチ(１２２)上からの復帰指示により、コネクタ接続復帰する。
【００１９】
コネクタ接続制御(１１０,１１３,１１６)は、制御信号であってもソレノイドやモータといった分離及び接続に用いる動力の電源でもあっても良い。又、制御部(１１９)はユニットを引き出し、後にユニットをセットし直した場合にユニットを動作テストすることで、センサ(１０２,１０５,１０８)がユニット内のヒータの温度やモータ等の駆動部の動作を捉え、結果に問題がなければ全ての回路が接続していると制御部(１１０)にて判断をする。
【００２０】
図２は、本発明の請求項１〜６の制御フローチャートの例を示す図である。
【００２１】
画像形成装置へ電源投入がされた後、２０１にて前回の起動時にユニット、モータ、基板の異常、及び接続不良の為、設定値回数分コネクタの分離と接続を繰り返しても接続できなかったかの判断をする。
【００２２】
問題が無ければ、２０２にて起動したときに分離しているコネクタであるかどうかの判断を行い、分離された状態であれば２０４にて分離されているコネクタの復帰を行い、分離されていなければ、２０５にて接続先のユニット、モータのテスト動作を行なう。
【００２３】
又は、コネクタの接続先が基板である場合は、基板から応答があるか確認を行なう。２０５にて基板に応答がある場合は、２０６にてユニット、及びモータは正常に動作したか。又は、基板からの応答があったか判断し、正常に動作又は、応答があった場合は、２０７にて不揮発性メモリー内の情報を削除し、２０８でユニットに異常が無いか監視を行なう。
【００２４】
異常が起こった場合には、２０９にて遮断をし、ユニット、モータ、基板の電源を遮断したことを操作パネル及び警告灯及びブザーにて知らせ、２１１にて不揮発性メモリーへ電源を遮断したことを記録する。２０６にてユニット及びモータの動作テスト結果、又は基板から応答が無かった場合は２１２にて分離復帰を予め設定回数分繰り返しているかどうか判断を行い設定回数分行なっていない場合は、２１５にてコネクタを分離させ、２０４にて再度コネクタの分離からの復帰を行なう。その後２０５にて接続先のユニット、モータのテスト動作を行なう。制御にて通電を切ってある状態でコネクタが再接続を行なう。コネクタの再接続をすることで通電可能にはなるが、通電してしまうことは無い。
【００２５】
又は、コネクタの接続先が基板である場合は、基板から応答があるか確認を行なう。
【００２６】
２０６にて問題が無いようであれば、２０７にて不揮発性メモリー内の情報を削除、２０８にてユニットに異常が無いか監視を行なう。
【００２７】
２０５にて再度復帰を行なっても２０６で正常に接続されていないと判断された場合は、２１２番で再度設定回数分、コネクタ分離を行なっているか判断する。２０６にて再復帰を設定回数分行なっても復帰が出来なかった場合には、２１３にて復帰ができないことを操作画面、ランプ、ブザー等にて知らせ、２１４にて復帰が出来なかったことを不揮発性メモリー内へ記録する。２０１にて前回の起動時に異常がある、又はコネクタの復帰接続が出来ないなどがあった場合には、２０３にて復帰指示を待ち、復帰指示があった場合は、２０４にて分離遮断されている回路を復帰させる。
【００２８】
図３は、本発明の請求項２、７〜１０の画像形成装置が起動中に画像形成装置のユニットを引き出した場合の制御の例を示す図である。
【００２９】
３０１では、引き出し式ユニットがセットされた状態であるか監視をしている。
【００３０】
３０１で引き出し式ユニットが引き出された場合は、３０２で引き出しユニットがセットされるまで待機する。
【００３１】
３０２で引き出しユニットがセットされると３０３でユニットが正常に動作するかテスト動作を行なう。
【００３２】
テスト動作以外にも、コネクタが接続したときに、電流が本体からユニット側を通り再度本体に戻るような回路構成にしておき電流が流れた場合に繋がったと判断する方法もある。ユニットと本体が接続したかどうか判断する方法については、前記の二つの方法以外でも良い。３０４でテスト動作は正常かを判断し、正常であれば３０１で引き出されるまで待機する。
【００３３】
又、正常に動作をしなかった場合においては、３０５にて設定値の回数分再接続を行なったか判断し、設定値の回数分再接続を行なっていない場合は、３０６でコネクタを一度分離し、３０７にて再度コネクタを復帰接続する。その後３０３にてユニット動作をし、正常かどうかを３０４にて判定し、正常であれば３０１で次に引き出しユニットが引き出されるまで待機し、正常動作でなければ３０５で設定回数繰り返したか判断を行なう。
【００３４】
３０５にて設定回数分分離と接続を行なっても接続がされない場合は、３０８にてコネクタの接続ができなかったことを、操作画面及びランプ及びブザーにて知らせ、３０９にて接続不良になっている箇所の情報とその接続不良の通知を何回行なったのか不揮発性メモリーに記憶する。
【００３５】
図４は、本発明の画像形成装置において、ソレノイドを用いたコネクタ分離装置の実施例を示す図である。
【００３６】
分離用バネ(４０２)、ドロアコネクタ固定用スライド板(４０３)、ガイド(４０４)、ドロアコネクタ固定ネジ(４０５)、本体側ドロアコネクタ(４０６)、ソレノイド(４０７)、ユニット側ドロアコネクタ(４０８)、で構成されている。
【００３７】
本体側ドロアコネクタ(４０８)は、ドロアコネクタ固定用スライド板(４０３)にドロアコネクタ固定ネジ(４０５)で取り付けられており、ドロアコネクタ固定用スライド板(４０３)は、本体フレームに取り付けられたガイド(４０４)に沿い平行に移動可能な状態となっている。
【００３８】
ドロアコネクタスライド板(４０４)にはソレノイドが取り付けられており、ソレノイドが通電状態となっていることで本体側ドロアコネクタ(４０６)とユニット側ドロアコネクタ(４０８)が接続されていてソレノイドへの電源供給が止まるとドロアコネクタが外れる仕組みとなっている。
【００３９】
図５は、本発明の画像形成装置において、ラックとウォームギアを用いたコネクタ分離装置の実施例を示す図である。
【００４０】
本体フレーム(５０１)、分離バネ(５０２)、ドロアコネクタ固定スライド板(５０３)、ガイド(５０４)、ドロアコネクタ固定用ネジ(５０５)、ラックギア(５０６)、ウォームギア(５０７)、モータ(５０８)、ウォームギア軸(５０９)、ドロアコネクタ押し出し板(５１０)、ドロアコネクタ固定用ネジ(５１１)、本体ドロアコネクタ(５１２)、ユニット側ドロアコネクタ(５１３)で構成されており、ユニット側への電源供給が可能な状態となっていてソレノイドのストロークではカバーできない範囲をコネクタが移動しなければならない場合や、コネクタが重たくソレノイドでは押す又は引く事が出来ない場合などにこの方法は有効的である。
【００４１】
ウォームギア(５０７)は、ウォームギア軸(５０９)に取り付けられており、モータ(５０８)が回転することでウォームギア軸(５０９)が回転し、ウォームギア(５０７)が回転する。又、ウォームギア(５０７)は、ウォームギア軸と平行に移動することが可能になっており、ラックギア(５０６)と噛み合いウォームギア (５０７)が回転することで、ウォームギア軸(５０９)と平行に移動ができる。
【００４２】
ウォームギア(５０７)が回転し、ウォームギア(５０７)上の矢印の左方向へ移動すると、ウォームギア(５０７)の進行方向の先にあるドロアコネクタ押し出し板（５１０）を押す。
【００４３】
ドロアコネクタ押し出し板(５１０)は、ドロアコネクタ押し出し板(５１０)が取り付けられているドロアコネクタ固定スライド板(５０５)を押しドロアコネクタ固定スライド板(５０５)がガイド(５０４)に沿って平行に左側へ移動する。
【００４４】
ドロアコネクタ固定スライド板(５０５)には、本体側ドロアコネクタ(５１２)が取り付けられており、ドロアコネクタ固定スライド板(５０５)と一緒に移動して、ユニット側ドロアコネクタ(５１３)と接続し、ユニット側へ電源供給が可能な状態となる。通電可能な状態になった時点で、モータ(５０８)は停止しする。
【００４５】
異常が発生した場合は、ラックギア(５０６)をウォームギア(５０７)から外すことでウォームギア(５０７)がフリーの状態になると分離用バネ(５０２)の力によってドロアコネクタ固定スライド板(５０３)が押されユニット側ドロアコネクタ(５１３)と逆の方向へ移動する。
【００４６】
ドロアコネクタ固定スライド板(５０３)が移動することで固定されている本体側ドロアコネクタ(５１２)とドロアコネクタ押し出し板(５１０)も移動し、ドロアコネクタが分離する。
【００４７】
図６は、本発明の画像形成装置において、図５で説明したラックギアが開き、ウォームギアと外れる動作例について示す図である。
【００４８】
ラックギア開き用バネ(６０１)、ラックギア(６０２)、ラックギア開閉軸(６０３)、ウォームギア(６０４)、モータ(６０５)、ソレノイド(６０６)、ウォームギアスライド軸(６０７)、ラック閉じ用リンク(６０８)で構成されている。
【００４９】
ソレノイド(６０６)の電源が切れると、ラック閉じリンク(６０８)を引く力が無くなり、ラック開き用バネ(６０１)が縮むことでラックギア(６０２)を引きラックギア(６０２)はラックギア開閉軸（６０３）を中心にラックギア(６０２)の右隣にある矢印の方向へ回転し、ウォームギア(６０４)からラックギア(６０２)が外れる。上記で説明したソレノイドを用いたラックギアの外し方以外にもモータ(６０５,６０５)の動力を用いてラックギアを外す方法など他の方法でも良い。
【００５０】
図７は、本発明の画像形成装置において、モータとカムを用いてコネクタを分離及び接続する方法の例を示す図である。
【００５１】
分離用バネ(９０２)、ドロアコネクタ固定スライド板(７０３)、ガイド(７０４)、ドロア固定用ネジ(７０５)、ドロアコネクタ押し出し板(７０６)、カム(７０７)本体側ドロアコネクタ(７０９)、ユニット側ドロアコネクタ(７０８)モータ(７１０)で構成されており、本体側ドロアコネクタ(７０９)はドロアコネクタ固定スライド板(７０３)にドロア固定用ネジ(７０５)にて固定されている。
【００５２】
ドロアコネクタ固定スライド板(７０３)は、ガイド(７０４)と平行に移動が可能となっている。
【００５３】
ドロアコネクタ固定スライド板(７０３)と本体フレーム(７０１)との間には、分離用バネ(７０２)がありドロアコネクタ固定スライド板(７０３)を押している。
【００５４】
ドロアコネクタスライド板(７０３)には、ドロアコネクタ押し出し板(７０６)が取り付けられており、ドロアコネクタ押し出し板(７０６)は、カム(７０７)によって押されている事により、本体側ドロアコネクタ(７０９)とユニット側ドロアコネクタ(７０８)が接続され、モータ(７０８)はホールドされた状態となっている。
【００５５】
異常時の分離は、モータ(７０８)の通電を切り、フリーになったカム（７０７）をカム引っ張り用バネ(７０９)の縮む力により引っ張り、カム(７０７)が回転して、分離バネ(７０２)がドロアコネクタスライド板(７０３)を押すことでドロアコネクタ固定スライド板(７０３)が分離する方向へガイド(７０４)に沿って移動して、ドロアコネクタ固定スライド板(７１１)に取り付けられている本体側ドロアコネクタ(７１０)がユニット側ドロアコネクタと分離する。
【００５６】
図８は、本発明の画像形成装置において、基板のコネクタを接続する実施形態の例を示す図である。
【００５７】
押す、引くどちらもでき、且つ通電していない場合においても押した又は引いた状態をキープするキープソレノイド(８０１)、ガイド(８０２)、ハーネス(８０３)、スライド板(８０４)、基板対基板コネクタ(８０５)で構成されており、キープソレノイド(８０１)は押した状態となっていて、スライド板(８０５)を押している。
【００５８】
スライド板に固定されているコネクタ基板(８０４)に取り付けられている基板対基板コネクタ(８０８)は、基板(８０７)に取り付けられている基板対基板コネクタ(８０８)と接続された状態となっている。
【００５９】
キープソレノイド(８１０)が引くとソレノイドに固定されているスライド板(８０５)がガイド(８０２)に沿って分離する移動し、スライド板(８０５)に取り付けられているコネクタ基板も分離する方向へ移動すると基板対基板コネクタ(８０６)が分離する。
【００６０】
分離方法については、図４〜８に限定されない。図４〜８以外の方法で、エアーシリンダーを用いる、電磁石を用いる、タイミングベルトやワイヤーを用いて接続、分離を行なう等の方法もある。コネクタの分離機構が安全装置となる為、接続する場合は動作は速くとも遅くとも良いが、分離する場合は瞬時に分離する機構となっている分離方法で何らかの動力を用いて制御部からの制御信号に従ってコネクタを分離、接続が出来れば良い。
【００６１】
以下に各請求項ごとの作用効果を述べる。
請求項１に対する作用効果：内部ユニット、外部ユニット、基板、モータ、周辺機等に異常があった場合、瞬時に電源を遮断することのできるコネクタ分離装置を搭載している事を画像形成装置に搭載することにより、リレーよりも安価な遮断装置となる。
【００６２】
請求項２に対する作用効果：コネクタを一度分離して再度接続を行なう事でコネクタ同士の接続不良を自動で解消できる。
【００６３】
請求項３に対する作用効果：操作画面、ブザー、ランプ等に通知を行うことで、どのユニット、基板、モータ、周辺機等が異常になったのかユーザ及びサービスマン等が知ることができるので、異常個所の特定が容易になり、サービス性が向上する。
【００６４】
請求項４に対する作用効果：不揮発性メモリーへ異常があり分離したコネクタの箇所の情報を記憶することで、次回の起動時に記憶した情報を読み出し、異常箇所への電源供給を制御部が行なわないようにする効果がある。
【００６５】
請求項５に対する作用効果：起動時に安全の為分離したコネクタを自動復帰させない事で、異常の再発、又は異常の再発による発火発煙といった二次災害を防ぐ。
【００６６】
請求項６に対する作用効果：修理点検等が終わった時点で、サービスマン等の手を煩わす事無く、コネクタの接続復帰させることができる。
【００６７】
請求項７に対する作用効果：内部ユニット、外部ユニット、モータ、基板、周辺機等の動作をすることで接続しているのかいないのか判断する為、新規の部品を追加する事無く、接続の確認をすることができる。
【００６８】
請求項８に対する作用効果：接続がされないと判断した場合において、接続不良であることを逸早く告げる効果がある。
【００６９】
請求項９に対する作用効果：接続不良箇所と接続不良回数を不揮発性メモリーへ記憶することで、画像形成装置のどこに不具合が多く生じているのか、把握することが可能となる。
【００７０】
請求項１０に対する作用効果：請求項９で記憶した接続不良箇所と接続不良回数の情報をサービスマン等が操作画面上からを読み出す事で、修理箇所の早期特定、その箇所の問題点の抽出が可能となる。
【００７１】
なお、上述する各実施の形態は、本発明の好適な実施の形態であり、本発明の要旨を逸脱しない範囲内において種々変更実施が可能である。コネクタ分離装置を用いた回路遮断装置に適用可能である。
【図面の簡単な説明】
【００７２】
【図１】本発明のコネクタ分離の概要を示す図である。
【図２】本発明の請求項１〜６の制御フローチャートの例を示す図である。
【図３】本発明の請求項２、７〜１０の画像形成装置が起動中に画像形成装置のユニットを引き出した場合の制御の例を示す図である。
【図４】本発明の画像形成装置において、ソレノイドを用いたコネクタ分離装置の実施例を示す図である。
【図５】本発明の画像形成装置において、ラックとウォームギアを用いたコネクタ分離装置の実施例を示す図である。
【図６】本発明の画像形成装置において、図５で説明したラックギアが開き、ウォームギアと外れる動作例について示す図である。
【図７】本発明の画像形成装置において、モータとカムを用いてコネクタを分離及び接続する方法の例を示す図である。
【図８】本発明の画像形成装置において、基板のコネクタを接続する実施形態の例を示す図である。
【符号の説明】
【００７３】
１０１    ユニット
１０２、１０５、１０８    センサ
１０３、１０６、１０９    コネクタ自動分離・接続機構
１０４    周辺機
１０７    基板・駆動部
１１０、１１３、１１６    コネクタ接続制御
１１９    制御部
１２０    電源
１２１    操作画面
１２２    スイッチ
１２３    ランプ
１２４    ブザー
１２５    不揮発性メモリー
【図１】
2009015149.tif 000003
【図２】
2009015149.tif 000004
【図３】
2009015149.tif 000005
【図４】
2009015149.tif 000006
【図５】
2009015149.tif 000007
【図６】
2009015149.tif 000008
【図７】
2009015149.tif 000009
【図８】
2009015149.tif 000010